(57)【要約】【課題】ハード変更や大きなソフト変更をせずに、送信と受信の周波数および信号フォーマットを合わせて、デジタル無線機における自身の送信電波の漏洩電波を利用した自己診断機能を実現する。【解決手段】テストデータを発生させ変調して送信し、漏洩した該テストデータを受信して復調し、受信した該テストデータの誤りを判定してビット誤り率を測定し、測定した該ビット誤り率を表示するデジタル無線機であって、前記テストデータの送受信の際に、移動局間直接通信の周波数および信号フォーマットを利用して自己診断を行う。【選択図】  図１
2008118243.tif 000002
【特許請求の範囲】
【請求項１】
音声入出力手段とデジタル変復調手段と自身の送信電波の漏洩電波を利用して自身の動作が正常であるか否かを自己診断する手段を有するデジタル無線機であって、
自己診断を行う場合に送信テストデータを発生するテストデータ発生手段と、
該送信テストデータに基づくデータを受信して自己診断を行うビット誤り率測定手段と、
該ビット誤り率測定手段の測定結果を表示する表示手段と、
移動局間直接通信機能と、
を備え、前記移動局間直接通信の周波数および信号フォーマットを利用して自己診断を行うことを特徴とするデジタル無線機。
【請求項２】
自身の送信電波の漏洩電波を利用して自身の動作が正常であるか否かを自己診断するデジタル無線機の自己診断方法において、
テストデータを発生させ変調して送信し、漏洩した該テストデータを受信して復調し、受信した該テストデータの誤りを判定してビット誤り率を測定し、測定した該ビット誤り率を表示する自己診断方法であって、
前記テストデータの送受信の際に、移動局間直接通信の周波数および信号フォーマットを利用して自己診断を行うことを特徴とするデジタル無線機の自己診断方法。
【発明の詳細な説明】
【技術分野】
【０００１】
・  
本発明は、自己診断機能を備えたデジタル無線機およびその自己診断方法に関するものであり、特に、通信を行う相手無線機や試験装置を用いることなく、試験対象の無線機が単独で自分自身が正常に動作しているか否かを診断するテスト機能を有するデジタル無線機およびその自己診断方法に関するものである。
【背景技術】
【０００２】
・  
従来の自己診断機能を有する無線機の一実施例を以下に説明する。
【０００３】
図５は、従来の自己診断機能を有する無線機のブロック図を示す。同図において１はアンテナ、２は送受切り換えスイッチ、５は送信高周波部、６は変調部、７は送信フレーム処理部、１０は音声コーデック部、１１は送信音声処理部、１２はマイク、１３は受信高周波部、１４は復調部、１５は受信フレーム処理部、１８は受信音声処理部、１９はスピーカーである。
・  
通常、送信時には、マイク１２より入力された音声は、送信音声処理部１１にてレベル調整され、音声コーデック１０にてＡ／Ｄ返還される。恩セイコーデック１０より出力されたデジタルのデータは、送信フレーム処理部７にてフレームフォーマットにしたがってエンコードされ、変調部４にて変調処理される。
【０００４】
変調部４にて変調処理された信号は、送信高周波部３にてに送信波となり送受切り換えスイッチ２を介してアンテナ１より送信される。
【０００５】
受信時には、アンテナ１にて受信された信号は送受アンテナスイッチ２を介して受信高周波部１３を通り、服兆部１４にて受信データに復調される。
【０００６】
受信データは受信フレーム処理部１５にてデコード処理され、音声コーデック１０にてＤ／Ａ変換、受信音声処理部１８にてレベル調整されてスピーカー１９より復調された音声が出力される。
【０００７】
ここで、送受切り換えスイッチ２は送信高周波部５に、受信時は受信高周波部１３に接続する。
【０００８】
一方、自己診断テストの時は、まず送信部と受信部の動作を同時に行うように制御し、送受切り換えスイッチ２は常時送信高周波部３に接続させる。
・  
自己診断テスト時において、マイク１２に周辺雑音が入力されると、通常そう神事と同様に送信音声処理部１１、音声コーデック１０、送信フレーム処理部７、変調部６、送信高周波部５、送受切り換えスイッチ２を介してアンテナ１より送信される。
この際、送受切り換えスイッチ２より漏洩した送信波は送信高周波部１３に入力され、通常受信時と同様に復調処理部１４、受信フレーム処理部１５、音声コーデック１０、受信音声処理部１８を介してスピーカー１９より周辺雑音の復調信号として出力される。ここで、この時スピーカー１９より出力された周辺雑音は、再び、マイク１２も入力され、上記過程を繰り返す。
【０００９】
これにより、ハウリングが生じ、スピーカー１９よりビート音が出力される。
【００１０】
このビート音を操作者が耳で確認することにより、無線機が正常に動作しているか否か判断することができる。
・  
なお、自己診断テスト時には送信周波数と受信周波数を等しくし、同時に動作させる必要があるため、例えば、ＰＬＬ周波数シンセサイザの原振動に使用している水晶発振器の出力を分配して、周波数混合器に局部発振信号として入力して送受を同時に行う方法などが考えられている。
・  
従来の自己診断機能を有する無線機に関する技術としては、例えば特許文献１、特許文献２がある。
・  
【特許文献１】特開平０９−１３５１９０号公報
【特許文献２】特開２００５−１５９８４７号公報
【発明の開示】
【発明が解決しようとする課題】
【００１１】
・  
しかしながら、自身が送信した信号を受信するためには、送信と受信の周波数や信号フォーマットを同じくする必要があるため、ハードとソフトの変更が必要となってしまうという問題があった。
【００１２】
本発明は、このような従来の事情に鑑み為されたもので、少量のソフト変更で自己診断機能を実現することのできる自己診断機能付きデジタル無線機およびその自己診断方法を提供することにある。
【課題を解決するための手段】
【００１３】
・  
上記目的を達成するため、本発明に係るデジタル無線機は、音声入出力手段とデジタル変復調手段と自身の送信電波の漏洩電波を利用して自身の動作が正常であるか否かを自己診断する手段を有するデジタル無線機であって、自己診断を行う場合に送信テストデータを発生するテストデータ発生手段と、該送信テストデータに基づくデータを受信して自己診断を行うビット誤り率測定手段と、該ビット誤り率測定手段の測定結果を表示する表示手段と、移動局間直接通信機能とを備え、前記移動局間直接通信の周波数および信号フォーマットを利用して自己診断を行うことを特徴とする。
・  
また、上記目的を達成するため、本発明に係るデジタル無線機における自己診断方法は、自身の送信電波の漏洩電波を利用して自身の動作が正常であるか否かを自己診断するデジタル無線機の自己診断方法において、テストデータを発生させ変調して送信し、漏洩した該テストデータを受信して復調し、受信した該テストデータの誤りを判定してビット誤り率を測定し、測定した該ビット誤り率を表示する自己診断方法であって、前記テストデータの送受信の際に、移動局間直接通信の周波数および信号フォーマットを利用して自己診断を行うことを特徴とする。
【発明の効果】
【００１４】
・  
以上説明したように、本発明に係る自己診断機能付きデジタル無線機およびその自己診断方法によると、通信を行う相手無線機や試験装置を用いることなく、自身の送信波の漏洩電波を利用した自己診断機能において、単信のプレストーク通信である移動局間直接通信機能を利用することで、送信と受信の周波数の共通化および信号フォーマットの共通化を達成することができ、ハード変更や大きなソフト変更を必要とせずに無線機の自己診断機能を実現することができる。
【発明を実施するための最良の形態】
【００１５】
・  
本発明の一実施例を図１を用いて説明する。
【００１６】
図１は本発明の第一の実施例を示すブロック図である。図１において、１はアンテナ、２は送受切り換えスイッチ、３は送信出力制御部（例えば、可変アッテネータ）、４は出力制御量記憶部（アッテネータ制御量記憶部）、５は送信高周波部、６は変調部、７は送信フレーム処理部、８はテストデータ発生部、９は送信データ切り換えスイッチ、１０は音声コーデック部、１１は送信音声処理部、１２はマイク、１３は受信高周波部、１４は復調部、１５は受信フレーム処理部、１６は受信データ切り換えスイッチ、１７はビット誤り率測定部、１８は受信音声処理部、１９はスピーカー、２０は表示部、２１は受信電界強度検出部である。
・  
通常時は、送信出力制御部３は減衰なしに設定されており、送信フレーム処理部７は送信データ切り換えスイッチ９を介して音声コーデック１０に、受信フレーム処理部１５はスイッチ受信データ切り換え１６を介して音声コーデック１０に接続している。また送受切り換えスイッチ２は、送信時は送信出力制御部３に、受信時は受信高周波部１３に接続する。
・  
一方、自己診断テスト時には、送信出力制御部３は出力制御量記憶部４に記憶されている減衰量に設定され、送信フレーム処理部７は送信データ切り換えスイッチ９によりテストデータ発生部８に、受信フレーム処理部１５は受信データ切り換えスイッチ１６により誤りビット判定部１７に接続される。また、送受切り換えスイッチ２はアンテナ１と送信出力制御部３が接続されるように制御してハード的には常に送信状態とする一方、動作は送信動作と受信動作を同時に行うように制御する。この時、送信の漏れ電波を受信するために送信と受信の周波数設定を合わせるとともに、自身が送信したデータを受信して復調するために信号フォーマットも合わせる必要があるため、通信モードを移動局間直接通信にする。
・  
ここで、図２、図３および図４を用いて移動局間直接通信について説明する。図２には無線システムの一例を示し、図３には信号フォーマットの例として、市町村デジタル移動通信システム（ARIB STD-T79）の基地局通信の通信チャネルの信号フォーマットを示し、図４には移動局間直接通信の通信チャネルの信号フォーマットを示す。
・  
まず、図２において、２０１は基地局無線装置、２０２、２０３および２０４は移動局である。基地局２０１と移動局２０２が行っている基地局通信では下り無線キャリアf1（移動局無線端末の受信周波数）と上り無線キャリアf2（移動局無線端末の送信周波数）のように送信と受信で異なる周波数を使用するのに対し、移動局２０３と２０４が行っている移動局間直接通信の場合は、移動局直接通信用キャリアf3の１波でお互いの通信を行っており、送信と受信で同じ周波数を使用している。
・  
次に、図３と図４に示す信号フォーマットにおいて、図３の基地局通信では上り通信（移動局無線端末の送信）用と下り通信（移動局無線端末の受信）用で異なった信号フォーマットを使用しているのに対し、移動局間直接通信の場合は図４に示すように１種類の信号フォーマットでお互いの通信を行っており、送信と受信で同じ信号フォーマットを使用している。
・  
自己診断テスト時の動作は、ます、テストデータ発生部８にて任意のテスト信号（例えばPN符号等）を発生し、送信データ切り換えスイッチ９を介して送信フレーム処理部７に出力する。送信フレーム処理部７は入力されたテスト信号を信号フォーマットに従ってエンコード処理を行い、エンコードされたデータは変調部６にて変調処理される。変調部６にて変調された信号は送信高周波部５を通り、送信出力制御部３で任意のレベルに調整され、送受切り換えスイッチ２を介してアンテナ１より送信される。この時送受切り換えスイッチ２にて漏洩した送信波は受信高周波１３に入力され受信される。受信高周波部１３にて受信された信号は復調部１４にて復調、受信フレーム処理部１５にてデコードされ受信データとなる。受信フレーム処理部１５より出力された受信データは受信データ切り換えスイッチ１６を介してビット誤り率測定部１７に入力され、誤り率が計算される。ビット誤り率測定部１７にて計算されたビット誤り率は表示部２０に表示される。また、同時に高周波部１３の出力は受信電界強度検出部２１に入力され、この時の受信電界強度が表示部２０に表示される。
・  
ここで、出力制御量記憶部４には、出荷前の初期調整時に上記の自己診断テスト時と同様の動作を行い、表示部２０に表示されるビット誤り率、または受信電界強度が任意の値となる時の送信出力制御部３の制御値を記憶しておく。
・  
つまり、送信高周波部５および受信高周波部１３の無線高周波部に部品の経年劣化等による変調精度や受信感度等の性能劣化がなければ、自己診断テストを行った際に表示部２０に表示されるビット誤り率と受信電界強度は初期調整時の任意値になるはずであり、任意値とならなかった場合には、無線高周波部に性能劣化があることが分かる。
・  
本発明の実施の形態によれば、ハード変更や大きなソフト変更をせずに、送信と受信の周波数および信号フォーマットを合わせて、デジタル無線機における自身の送信電波の漏洩電波を利用した自己診断機能を実現する。
【００１７】
具体的には、テストデータを発生させ変調して送信し、漏洩した該テストデータを受信して復調し、受信した該テストデータの誤りを判定してビット誤り率を測定し、測定した該ビット誤り率を表示するデジタル無線機であって、前記テストデータの送受信の際に、移動局間直接通信の周波数および信号フォーマットを利用して自己診断を行う。
【００１８】
以上のように、移動局間直接通信の機能を利用することで、送信と受信の周波数および信号フォーマットを容易に合わせることができるため、ハード変更や大きなソフト変更を必要とせずに自己診断機能を有するデジタル無線機およびその自己診断方法を達成することができる。
【図面の簡単な説明】
【００１９】
・  
【図１】本発明の一実施例に係る自己診断機能付きデジタル無線機のブロック図である。
【図２】無線システムの一例を示す図である。
【図３】基地局通信の信号フォーマットを示す図である。
【図４】移動局間直接通信の信号フォーマットを示す図である。
【図５】自己診断機能を有する無線機のブロック図の一例である。
【符号の説明】
【００２０】
・  
１：アンテナ、２：送受切り換えスイッチ、５：送信高周波部、６：変調部、７：送信フレーム処理部、８：テストデータ発生部、９：送信データ切り換えスイッチ、１０：音声コーデック、１１：送信音声処理部、１２：マイク、１３：受信高周波部、１４：復調部、１５：受信フレーム処理部、１６：受信データ切り換えスイッチ、１７：誤りビット判定部、１８：受信音声処理部、１９：スピーカー、２０：表示部、２１：受信電界強度検出部、２０１：基地局無線装置、２０２、２０３、２０４：無線端末
【図１】
2008118243.tif 000003
【図２】
2008118243.tif 000004
【図３】
2008118243.tif 000005
【図４】
2008118243.tif 000006
【図５】
2008118243.tif 000007